(57)【要約】      （修正有）【課題】  無線ネットワークコントローラ内に圧縮或いは終端メカニズムを設けることにより、プロトコルデータパケットを処理する、改良された処理方法の提供。【解決手段】  ネットワークからのプロトコルデータパケットをゲートウエイで受信するステップ、前記パケットを、無線ネットワークコントローラに接続されている交換センタ或いはサービスノードへ送るステップ、前記パケットを前記交換センタ或いはサービスノードから前記無線ネットワークコントローラへ送るステップ、前記パケットを前記無線ネットワークコントローラ内で終端し、前記パケットに対応するデータを前記無線ネットワークコントローラからユーザ装置へ送るステップ、前記無線ネットワークコントローラにて前記パケットの各々の少なくともヘッダーを圧縮するステップとを含み、前記圧縮ステップは、無線モードでのデータ転送を最適化する圧縮アルゴリズムに従って圧縮を行うことを特徴とする。【選択図】  図１
2005124219.tif 000002
【特許請求の範囲】
【請求項１】
パケットネットワークから受信したデータパケットを処理する処理方法であって、
前記ネットワークからのプロトコルデータパケットをゲートウエイにおいて受信するステップと、
プロトコルデータパケットを、無線ネットワークコントローラに接続されている交換センタ或いはサービスノードへ送るステップと、
前記プロトコルデータパケットを前記交換センタ或いはサービスノードから前記無線ネットワークコントローラへ送るステップと、
前記プロトコルデータパケットを前記無線ネットワークコントローラ内で終端し、前記プロトコルデータパケットに対応するデータを前記無線ネットワークコントローラからユーザ装置へ送るステップと、
前記無線ネットワークコントローラにて前記プロトコルデータパケットの各々の少なくともヘッダーを圧縮するステップとを含み、
前記圧縮ステップは、前記無線ネットワークコントローラと前記ユーザ装置との間でデータ通信の無線モードでのデータ転送を最適化する圧縮アルゴリズムに従って圧縮を行うことを特徴とする処理方法。
【請求項２】
請求項１に記載の処理方法おいて、ＵＭＴＳ（Universal Mobile Telephone System:ユニバーサル移動電話システム）に用いられる前記処理方法であって、前記交換センタは３Ｇ−ＳＧＳＮ（3rd Generation Serving GPRS (General Packet Radio System) Support Node:第３世代サービスＧＰＲＳ（汎用パケット無線システム）サポートノード）を有することを特徴とする処理方法。
【請求項３】
ＵＭＴＳ（Universal Mobile Telephone System:ユニバーサル移動電話システム）ネットワークの無線アクセスネットワーク（ＲＡＮ）の無線ネットワークコントローラ（ＲＮＣ）であって、
プロトコルデータパケットを受信する手段と、
前記プロトコルデータパケットを終端する終端手段と、
前記プロトコルデータパケットからユーザノードへデータを転送する手段とを有し、
前記終端手段は、前記無線ネットワークコントローラにて前記プロトコルデータパケットの少なくともヘッダーを圧縮する圧縮手段を有し、
前記圧縮手段は、前記無線ネットワークコントローラと前記ユーザノードとの間でデータ通信の無線モードでのデータ転送を最適化する圧縮アルゴリズムに従って圧縮を行うことを特徴とする無線ネットワークコントローラ。
【請求項４】
請求項３に記載の無線ネットワークコントローラにおいて、前記終端手段は、パケット受領の肯定応答を行う手段を有することを特徴とする無線ネットワークコントローラ。
【請求項５】
請求項３に記載の無線ネットワークコントローラにおいて、前記無線ネットワークコントローラとユーザノードとの間に通信障害がおきた場合に、前記ユーザノードに情報を再送信する手段を含むことを特徴とする無線ネットワークコントローラ。
【請求項６】
ユーザ装置と通信する無線ネットワークコントローラと、ゲートウエイに接続されたサービスノードとを有し、前記無線ネットワークコントローラと前記サービスノードは、ゲートウエイからサービスノードにおいて受信したプロトコルデータパケットがサービスノードを通過して前記無線ネットワークコントローラにおいて終端されるように配置され、前記無線ネットワークコントローラは前記パケットを終端しそこに含まれるデータをユーザ装置へ送る終端手段を有する移動通信システムネットワークであって、
前記終端手段は、前記無線ネットワークコントローラにて前記プロトコルデータパケットの少なくともヘッダーを圧縮する圧縮手段を有し、
前記圧縮手段は、前記無線ネットワークコントローラと前記ユーザノードとの間でデータ通信の無線モードでのデータ転送を最適化する圧縮アルゴリズムに従って圧縮を行うことを特徴とする移動通信システムネットワーク。
【請求項７】
移動通信システムにおいて、サービス或いは交換ノードとユーザ装置との間で、無線ネットワークコントローラを介して通信を行う通信方法であって、
前記サービス或いは交換ノードと外部プロトコルデータネットワークとの間で通信されるプロトコルデータパケットに実質的に一致するプロトコルデータパケットを用いて、前記無線ネットワークコントローラと前記サービス或いは交換ノードの間で、通信を行う通信ステップと、
前記プロトコルデータパケットの内容に対応する圧縮データを用いて、前記ユーザ装置と前記無線ネットワークコントローラの間で、通信を行うステップと、
前記無線ネットワークコントローラ内で前記圧縮データと前記プロトコルデータパケットとを変換するステップと有し、
前記通信ステップは、前記無線ネットワークコントローラにて前記プロトコルデータパケットの少なくともヘッダーを圧縮する圧縮ステップを有し、
前記圧縮ステップは、前記無線ネットワークコントローラと前記ユーザ装置との間でデータ通信の無線モードでのデータ転送を最適化する圧縮アルゴリズムに従って圧縮を行うことを特徴とする通信方法。
【請求項８】
請求項１に記載の処理方法において、前記プロトコルデータパケットは、インターネットプロトコル（ＩＰ）パケットであることを特徴とする処理方法。
【請求項９】
請求項８に記載の処理方法において、ＵＭＴＳ（Universal Mobile Telephone System:ユニバーサル移動電話システム）に用いられる前記処理方法であって、前記交換センタは３Ｇ−ＳＧＳＮ（3rd Generation Serving GPRS (General Packet Radio System) Support Node:第３世代サービスＧＰＲＳ（汎用パケット無線システム）サポートノード）を有することを特徴とする処理方法。
【請求項１０】
請求項５に記載の無線ネットワークコントローラにおいて、前記終端手段は、パケット受領の肯定応答を行う手段を有することを特徴とする無線ネットワークコントローラ。
【請求項１１】
請求項７に記載の通信方法において、前記プロトコルデータパケットは、インターネットプロトコル（ＩＰ）パケットであることを特徴とする通信方法。
【請求項１２】
請求項６に記載の移動通信システムネットワークにおいて、前記プロトコルデータパケットは、インターネットプロトコル（ＩＰ）パケットであることを特徴とする移動通信システムネットワーク。
【請求項１３】
パケットネットワークから受信したデータパケットを処理する処理
方法であって、
前記ネットワークからのプロトコルデータパケットをゲートウエイにおいて受信するステップと、
プロトコルデータパケットを、無線ネットワークコントローラに接続されている交換センタ或いはサービスノードへ送るステップと、
前記プロトコルデータパケットを前記交換センタ或いはサービスノードから前記無線ネットワークコントローラへ送るステップと、
前記プロトコルデータパケットを前記無線ネットワークコントローラ内で終端し、前記プロトコルデータパケットに対応するデータを前記無線ネットワークコントローラからユーザ装置へ送るステップと、
前記無線ネットワークコントローラによって前記プロトコルデータパケットの各々の少なくともヘッダーを圧縮するステップとを含み、
前記圧縮ステップは、圧縮アルゴリズムのうち、前記無線ネットワークコントローラと前記ユーザ装置との間でデータ通信の無線モードでのデータ転送を最適化する圧縮アルゴリズムに従って圧縮を行うことを特徴とする処理方法。
【請求項１４】
ＵＭＴＳ（Universal Mobile Telephone System:ユニバーサル移動電話システム）ネットワークの無線アクセスネットワーク（ＲＡＮ）の無線ネットワークコントローラ（ＲＮＣ）であって、
プロトコルデータパケットを受信する手段と、
前記プロトコルデータパケットを終端する終端手段と、
前記プロトコルデータパケットからユーザノードへデータを転送する手段とを有し、
前記終端手段は、前記無線ネットワークコントローラにて前記プロトコルデータパケットの少なくともヘッダーを圧縮する圧縮手段を有し、
前記圧縮手段は、圧縮アルゴリズムのうち、前記無線ネットワークコントローラと前記ユーザノードとの間でデータ通信の無線モードでのデータ転送を最適化する圧縮アルゴリズムに従って圧縮を行うことを特徴とする無線ネットワークコントローラ。
【発明の詳細な説明】
【技術分野】
【０００１】
本発明は、移動通信ネットワークにおけるプロトコルデータパケット、特に第３世代移動電話システムにおけるインターネットプロトコル（ＩＰ）パケット或いは同様のプロトコルデータパケットの処理に関する。
【背景技術】
【０００２】
第３世代（ＵＭＴＳ:Universal Mobile Telephone System:ユニバーサル移動電話システム）移動通信システムのための提案を含む背景情報は、国際電気通信連合（ＩＴＵ）や欧州電気通信標準化協会（ＥＴＳＩ）、或いは第３世代パートナーシップ・プロジェクト（３ＧＰＰ）による多数の公報の中のいくつかにみることができる。１９９９年５月２４日の時点で係属中の提案は、本明細書中に参照として組み込まれる。さらに、発明の背景として１９９９年５月２４日に発効された第２世代移動通信システムの協定標準を本明細書に参照として組み込むものとする。当業者であれば、従来公表された論文と、これらの主題を論じている種々のインターネットサイトの内容の両方から、これらの提案に熟知しているであろう。インターネットサイトの代表的な例としては、ｗｗｗ．ｅｔｓｉ．ｏｒｇやｗｗｗ．３ｇｐｐ．ｏｒｇが挙げられ、少なくとも１９９９年５月２４日までのその内容は、関連するリンクサイトの内容と共に、本明細書中に参照として組み込まれる。
【０００３】
図４に概略的に示されているように、第２世代ＧＳＭ（Global System for Mobile communication:移動通信用グローバルシステム）においては、電子メール（ｅメール）インターフェースを組み込んだ移動電話のようなユーザ装置（User Equipment:ＵＥ）を、インターネットのようなパケット交換ネットワーク（packet switched network:ＰＳＴＮ）に接続する機能をもついくつかの機能ブロックがある。基本的に、ユーザ装置（ＵＥ）は、１つ以上の交換センタ（Switching Center:ＳＣ）によって相互接続された無線ネットワークコントローラ（Radio Network Controller:ＲＮＣ）と組み合わせた無線局のネットワークと通信し、交換センタ（ＳC）はパケット交換ネットワークへのゲートウエイ（ＧＷ）に接続されている。パケット交換ネットワークから受信したインターネットプロトコルパケット（ＩＰパケット）は、ゲートウエイ（ＧＷ）を通過して交換センタ（ＳＣ）に送られる。交換センタ（ＳＣ）において、パケットは圧縮され、パケット交換ネットワークに返送される肯定応答が要求される。パケットの圧縮バージョンは、「信頼性の高いリンク（reliable link）」上を交換センタ（ＳＣ）からユーザ装置（ＵＥ）へ、無線ネットワークコントローラ（ＲＮＣ）を素通りして転送される。
【発明の開示】
【発明が解決しようとする課題】
【０００４】
このシステムは、現行の第２世代ＧＳＭ移動通信システムにあっては有効に機能するが、本発明の課題は、第２世代アーキテクチャのように交換センタ（或いはサービスノード）に圧縮或いは終端メカニズムを設けるのではなく、無線ネットワークコントローラ内に圧縮或いは終端メカニズムを設けることにより、プロトコルデータパケットを処理するようにした、改良された処理方法、無線ネットワークコントローラ（ＲＮＣ）、移動通信システムネットワーク、通信方法を提供することにある。
【課題を解決するための手段】
【０００５】
本発明の第１の態様によれば、パケットネットワークから受信したデータパケットを処理する処理方法であって、前記ネットワークからのプロトコルデータパケットをゲートウエイにおいて受信するステップと、プロトコルデータパケットを、無線ネットワークコントローラに接続されている交換センタ或いはサービスノードへ送るステップと、前記プロトコルデータパケットを前記交換センタ或いはサービスノードから前記無線ネットワークコントローラへ送るステップと、前記プロトコルデータパケットを前記無線ネットワークコントローラ内で終端し、前記プロトコルデータパケットに対応するデータ（これは、好ましくは、前記プロトコルデータパケットに対応する圧縮されたパケットを含んだり、また圧縮されたプロトコルデータパケットのヘッダー部を有するものである）を前記無線ネットワークコントローラからユーザ装置へ送るステップと、前記無線ネットワークコントローラにて前記プロトコルデータパケットの各々の少なくともヘッダーを圧縮するステップとを含み、前記圧縮ステップは、前記無線ネットワークコントローラと前記ユーザ装置との間でデータ通信の無線モードでのデータ転送を最適化する圧縮アルゴリズムに従って圧縮を行うことを特徴とする処理方法が得られる。
【０００６】
交換センタ或いはサービスノードにおいてではなく無線ネットワークコントローラ内に圧縮及び終端メカニズムを設けることは、第２世代アーキテクチャからの逸脱を意味している。さらにこの構造には、無線ネットワークコントローラとサービスノードすなわち交換センタとの間のＩｕ（ＵＭＴＳ（Universal Mobile Telephone System:ユニバーサル移動電話システム）のためのインターフェース）リンク上に、大きな帯域幅が必要であるという若干の欠点があるようである。これらのファクターは両方とも本発明から離れる方向に向いているようである。
【０００７】
しかしながら、本発明によれば、終端機能の移動により大きな利点が得られることがわかった。第１に、サービスノードすなわち交換センタ内での処理はより効率的に行なうことができ、各パケットを開いて処理することは必要でないため、少ない処理電力で済む。さらに、未圧縮のパケットを利用できるため、１つの交換センタから別のセンタへ渡すことに関する問題が緩和される。さらなる利点は、無線ネットワークコントローラと交換センタとの間のリンクの信頼性が高くない場合に、これをより容易に調整できることである。そして、用いられる圧縮は無線モードに従って最適化することがある。
【０００８】
好ましい実施例によれば、前記処理方法は、ＵＭＴＳ（Universal Mobile Telephone System:ユニバーサル移動電話システム）に用いられ、前記交換センタは３Ｇ−ＳＧＳＮ（3rd Generation Serving GPRS (General Packet Radio System) Support Node:第３世代サービスＧＰＲＳ（汎用パケット無線システム）サポートノード）を有している。
【０００９】
本発明の第２の態様によれば、ＵＭＴＳ（Universal Mobile Telephone System:ユニバーサル移動電話システム）ネットワークの無線アクセスネットワーク（ＲＡＮ）の無線ネットワークコントローラ（ＲＮＣ）であって、プロトコルデータパケットを受信する手段と、前記プロトコルデータパケットを終端する終端手段と、前記プロトコルデータパケットからユーザノードへデータを転送する手段とを有し、前記終端手段は、前記無線ネットワークコントローラにて前記プロトコルデータパケットの少なくともヘッダーを圧縮する圧縮手段を有し、前記圧縮手段は、前記無線ネットワークコントローラと前記ユーザノードとの間でデータ通信の無線モードでのデータ転送を最適化する圧縮アルゴリズムに従って圧縮を行うことを特徴とする無線ネットワークコントローラが得られる。
【００１０】
本発明の第３の態様によれば、ユーザ装置と通信する無線ネットワークコントローラと、ゲートウエイに接続されたサービスノードとを有し、前記無線ネットワークコントローラと前記サービスノードは、ゲートウエイからサービスノードにおいて受信したプロトコルデータパケットがサービスノードを通過して前記無線ネットワークコントローラにおいて終端されるように配置され、前記無線ネットワークコントローラは前記パケットを終端しそこに含まれるデータをユーザ装置へ送る終端手段を有する移動通信システムネットワークであって、前記終端手段は、前記無線ネットワークコントローラにて前記プロトコルデータパケットの少なくともヘッダーを圧縮する圧縮手段を有し、前記圧縮手段は、前記無線ネットワークコントローラと前記ユーザノードとの間でデータ通信の無線モードでのデータ転送を最適化する圧縮アルゴリズムに従って圧縮を行うことを特徴とする移動通信システムネットワークが得られる。
【００１１】
本発明の第４の態様によれば、移動通信システムにおいて、サービス或いは交換ノードとユーザ装置との間で、無線ネットワークコントローラを介して通信を行う通信方法であって、前記サービス或いは交換ノードと外部プロトコルデータネットワークとの間で通信されるプロトコルデータパケットに実質的に一致するプロトコルデータパケットを用いて、前記無線ネットワークコントローラと前記サービス或いは交換ノードの間で、通信を行う通信ステップと、前記プロトコルデータパケットの内容に対応する圧縮データを用いて、前記ユーザ装置と前記無線ネットワークコントローラの間で、通信を行うステップと、前記無線ネットワークコントローラ内で前記圧縮データと前記プロトコルデータパケットとを変換するステップと有し、前記通信ステップは、前記無線ネットワークコントローラにて前記プロトコルデータパケットの少なくともヘッダーを圧縮する圧縮ステップを有し、  前記圧縮ステップは、前記無線ネットワークコントローラと前記ユーザ装置との間でデータ通信の無線モードでのデータ転送を最適化する圧縮アルゴリズムに従って圧縮を行うことを特徴とする通信方法が得られる。
【発明の効果】
【００１２】
上述したように、本願発明では、第２世代アーキテクチャのように交換センタ或いはサービスノードに圧縮或いは終端メカニズムを設けるのではなく、無線ネットワークコントローラ内に圧縮或いは終端メカニズムを設けることにより、プロトコルデータパケットを処理するようにした、改良された処理方法、無線ネットワークコントローラ（ＲＮＣ）、移動通信システムネットワーク、通信方法を得ることができる。
【発明を実施するための最良の形態】
【００１３】
以下、本発明の実施の形態について図面を参照して説明する。
【００１４】
図１には、ユーザ装置（ＵＥ）に対するインターネットプロトコル（ＩＰ）情報の圧縮を実施するための本発明の好適なネットワークアーキテクチャの実施例が概略的に示されている。
【００１５】
トンネル（tunneling）プロトコルが３Ｇ−ＳＧＳＮ（3rd Generation Serving GPRS (General Packet Radio System) Support Node:第３世代サービスＧＰＲＳ（汎用パケット無線システム）サポートノード）とＵＴ（UMTS Terrestrial）ＲＡＮ（radio access network:無線アクセスネットワーク）との間で用いられる。
【００１６】
スタックを観察することによって、ＵＴＲＡＮがトンネルを終端することがわかる。ところが、２Ｇ（第２世代）システムにおいては、トンネルは２Ｇ−ＳＧＳＮ（2nd Generation Serving GPRS Support Node:第２世代サービスＧＰＲＳ（汎用パケット無線システム）サポートノード）によって終端され解釈される。リレー（SGSN:サービスGPRS(汎用パケット無線システム)サポートノード）を用いてトンネル化されたパケットを、サブネットワーク発散制御プロトコル（Sub-Network Divergence Control Protocol:ＳＮＤＣＰ）（３Ｇ（第３世代）用途には、圧縮エンティティプロトコル（Compression Entity Protocol:ＣＥＰ））層に送り、圧縮を行なう。また、ＣＮ(Core Network)内にはＬＬＣ(Logical Link Control)層はないが、無線ネットワークコントローラ(ＲＮＣ)内のＲＬＣ（Radio Link Control）層は、ＬＬＣが２Ｇアーキテクチャ内で行なうすべての必要な動作を行なうものと仮定される。
【００１７】
発明の背景の理解を助けるため、第２世代サブネットワーク発散制御プロトコル（Sub-Network Divergence Control Protocol:ＳＮＤＣＰ）を概略的に示した図２を参照して、第２世代システムにおける現行の圧縮メカニズムについて簡単に説明する。
【００１８】
ＳＮＤＣＰ（サブネットワーク発散制御プロトコル）は、第２世代ＧＰＲＳ（General Packet Radio System：汎用パケット無線システム）ユーザプレーンスタック内のＬＬＣ層の上に位置するプロトコルである。
【００１９】
第２世代システム内のＳＮＤＣＰ（サブネットワーク発散制御プロトコル）のユーザは、リレー（ＳＧＳＮ:サービスＧＰＲＳ（汎用パケット無線システム）サポートノード））及びパケットデータプロトコル（ＵＥ:ユーザ装置）であるが、ＳＮＤＣＰ（サブネットワーク発散制御プロトコル）はＬＬＣ及びＳＭ（Service Management）層のサービスを利用している。ＳＮＤＣＰはさらに、ひとつのＳＮＤＣＰ接続に対してＰＤＰ(プロトコルデータパケット)を多重化する能力を提供し、ＬＬＣ  ＰＤＵ（Protocol Data Unit）への／からのネットワーク層ＰＤＵ（Ｎ−ＰＤＵ）の分割及び再構築を提供する。
【００２０】
ＳＮＤＣＰはさらに、プロトコル制御情報（例えばＴＣＰ(Transmission Control Protocol)／ＩＰヘッダー）とユーザデータの双方を圧縮(compress)／復元(decompress)することができる。
【００２１】
図２に示すヘッダ圧縮の上下における、ＳＡＰ（Service Access Point）（下部ＳＮＤＣＰ）へのＮＳＡＰ（Network Service Access Point）（上部ＳＮＤＣＰ）のマッピングは、ＳＮＤＣＰ機能によって実行される。ここで、１つのＳＡＰは、同一のアドレスを有する１つのＱｏＳプロファイルと等しい。図２は、ＳＮＤＣＰの位置及び機能を表している。また逆方向のマッピングを行う場合にはヘッダ圧縮と同じ位置に復元する機能も有している。
【００２２】
本発明者等は、第３世代システムにおいてＩＰ圧縮を実施するために、上述の３Ｇ−ＳＧＳＮにおけるパケット終端及び圧縮を実施することにより、既知の、試行され、試験され、広く用いられてきた第２世代システムを拡張することを検討した。このことにはいくつかの利点がある。即ち、圧縮メカニズムをサービスノード内に設けた場合、Ｉｕ（図１）上での圧縮が可能であり、Ｉｕユーザプレーンインターフェース上で帯域幅をいくらか節約し得ることになる。さらに、これは、今日用いられているＧＰＲＳ（General Packet Radio System：汎用パケット無線システム）による解決法により似ているため、実施がより簡単である。
【００２３】
しかしながら、本発明の分析によれば、このような解決法には以下に述べるいくつかの欠点があることが示された。
【００２４】
第１に、この解決法では、ＳＧＳＮ（サービスＧＰＲＳ（汎用パケット無線システム）サポートノード）が関与するアクティブＰＤＰ(プロトコルデータパケット)セッションごとにこの圧縮／復元機能を実施しなくてはならないという事実により、要求される処理電力の増加が必要である。さらに、３Ｇ−ＳＧＳＮが各パケットを開いて処理しなければならないため、データレートが低下する。
【００２５】
３Ｇ−ＳＧＳＮ間のハンドオーバーの際、圧縮エンティティをリセットする必要がある。さらに、本発明によれば、インターワーキング（inter-working:相互間動作）、例えばＳＧＳＮ間ハンドオーバーを検討した。パケットセッションの間、旧ＳＧＳＮ内のＧＴＰ(GPRS Tunnel Protocol)パケットは、圧縮状態にある。しかしながら、ハンドオーバーの間には、いくつかのパケットを、新たなＳＧＳＮに送る必要がある。３Ｇ圧縮アルゴリズムは２Ｇ圧縮アルゴリズムとは異なる可能性があると仮定すると、旧ＳＧＳＮから新ＳＧＳＮへ転送する前にパケットを復元する必要があるために、アーキテクチャに複雑性と遅延が付加される。
【００２６】
提案されるいかなる種類のＲＡＮを包括するような解決法を与えることがより好ましい。このことは、上記の解決法では残念ながら得られない。さらに、大きく変化する遅延及びパケットのならびかえに適応する圧縮機能も必要である。したがって、信頼性が高くないＩｕを仮定すると、現行の圧縮アルゴリズムでは圧縮されたヘッダーが正しく受信していることを前提としているため、消失パケットは長い回復時間を要することを意味する。これはさらに、送信するべきパケット数がエラーのあとに増加し、したがって圧縮効果の低下が起こり得ることを意味する。
【００２７】
したがって、現行システムに密接に基づくシステムを実行する場合には、不都合が生じるおそれがある。
【００２８】
代替案として、３Ｇ−ＧＧＳＮ（ゲートウエイGPRSサポートノード）内での圧縮を採用することの可能性について研究した。これには、幾つかの利点が期待される。例えば、圧縮メカニズムをゲートウエイ内に設けた場合には、Ｉｕ上で圧縮を用いることができる。これは、Ｉｕユーザプレーンインターフェース上の帯域幅をある程度節約することができる。さらに、ハンドオーバーの間、３Ｇ−ＧＧＳＮがアンカーポイントであると仮定すると、ＣＥＰエンティティのリセットは決して起こらない。これら２つのファクターは、この解決法が上述したものより好ましいことを示唆している。
【００２９】
しかしながら、本発明によるさらなる分析により、潜在的な欠点が明らかになった。特に、３Ｇ−ＧＧＳＮ内での圧縮は、ＧＰＲＳにおいて今日用いられている方法とは全く似ておらず，この解決法はＧＧＳＮ機能への更新を必要とし、さらに、ＧＧＳＮは関与するアクティブＰＤＰセッションごとにこの圧縮／復元機能を実施しなくてはならないため、要求される処理電力の大幅な増加が必要となる。さらに、２Ｇと３Ｇとの非互換性についても検討した。例えば、３Ｇ−ＧＧＳＮとインターワーキングする２Ｇ−ＳＧＳＮを得ることは不可能である。したがってこの解決法は、インターワーキング環境においての実施には非常に複雑である。
【００３０】
さらに、新しいアクセスネットワークによる圧縮機能に課せられる要件について考察した。上述したように、提案されるいかなる種類のＲＡＮをも包括するような解決法が好ましい。このことは上記の解決法では得られない。さらに、大きく変化する遅延及びパケットのならびかえに適合する圧縮機能も必要である。信頼性が高くないＩｕを仮定した場合、現行の圧縮アルゴリズムでは圧縮されたヘッダーが正しく受信することを前提としているため、消失パケットは長い回復時間を要することを意味する。これはさらに、送信すべきパケット数がエラーの後に増加し、したがって圧縮効果の低下が起こり得ることを意味する。
【００３１】
上記の考察から、最初に提案した解決法に戻ってしまう。
【００３２】
しかしながら、さらなる可能性、即ちＲＮＣ内のＬ３圧縮エンティティの導入についても考察した。これは本発明の実施例に用いられている。
【００３３】
まず、ＲＡＮ内に圧縮を位置づけるため、Ｉｕインターフェース上での圧縮能力はなくなることになる。これは、この解決法が、最初に提案した解決法に劣っていることを示唆している。
【００３４】
しかしながら、Ｉｕ上での圧縮可能性のこの喪失は、第２世代システムにはなかったその他の長所を秘めていることにより、より優れていることがわかった。
【００３５】
第１の利点は、ＵＭＴＳのためのこの解決法は、圧縮／復元メカニズムの処理ロードが十分に分散できることである。これは使用されているＲＡＮに対して圧縮を最適化できるというさらなる利点をも内包している。
【００３６】
第２の利点は、ＲＡＮ内に圧縮機能を位置づけすることによって、ＳＧＳＮを、パケットを開いて処理するタスクから免除し、したがって、達成可能な可能データレートが増加することである。
【００３７】
さらに、圧縮エンティティは、信頼性の高いリンク、この場合ＲＬＣであるが、にできる限り近づける。したがって、無線インターフェース内でのパケットの消失後に、パケットのより迅速な回復が可能となる。そこで、この解決法によれば、ＵＥ及びネットワーク内のバッファリングの量が最小化される。
【００３８】
最後の考察として、効率的なシステム間ハンドオーバーが、この解決法を用いてサポートできる。
【００３９】
インターワーキングを考える場合、たとえＧＰＲＳ解決法と若干異なっていても、複雑度を最小限におさえて完全に達成できる。しかしながら、１つの小さな欠点は、圧縮エンティティが各ＲＮＣ間ハンドオーバー後にリセットされることである。しかしながら、これは許容することができる。
【００４０】
図１に戻り、３番目に記載した解決法は現在のＵＭＴＳアーキテクチャにおいて容易に実施可能である。図３は、圧縮の応用、特に、圧縮メカニズムをもつユーザプレーンプロトコルアーキテクチャを概略的に示している。ここで、ＣＥＰ（圧縮エンティティプロトコル:Compression Entity Protocol）層が、ＲＬＣ（Radio Link Control）プリミティブを処理する２Ｇ(第２世代)  ＳＮＤＣＰ（サブネットワーク発散制御プロトコル）層からの発展形態である。
【００４１】
本明細書中、プロトコルデータパケットという用語は、定義されたプロトコルに実質的に合致するいかなるデータパケットをも包含することを意図している。ＩＰはそのようなプロトコルの１例であり、本発明は他のパケットフォーマットにも拡張することができる。本実施例は、ＵＭＴＳに沿って説明され、ＵＭＴＳシステムの特定の要素に言及するために用いられる用語、或いはそれに類似した用語を用いている。本発明は、ＵＭＴＳ仕様に合致しないその他のシステムにも適用できる。そして別段の記載がなければ、それらの用語の使用は、広く等価的な機能を実行するその他のシステムの構成要素をも含むことを意図している。
【００４２】
上記の各特徴は、代替物として独立して組み込んでもよいが、その場合には、第３世代（或いは関連する）移動通信システムにおいてプロトコルデータパケット処理を実現するという問題の好ましい解決法としてはやや劣ることになる。
【図面の簡単な説明】
【００４３】
【図１】本発明による第３世代移動通信システムのアーキテクチャを概略的に示した図である。
【図２】第２世代サブネットワーク発散制御プロトコル（Sub-Network Divergence Control Protocol:ＳＮＤＣＰ）を概略的に示した図である。
【図３】本発明による第３世代ＵＭＴＳに対するサブネットワーク発散制御プロトコル（ＳＮＤＣＰ）の関係を示した図である。
【図４】第２世代ＧＳＭシステムのブロック図である。
【符号の説明】
【００４４】
ＵＥ    ユーザ装置（User Equipment）
ＲＮＣ    無線ネットワークコントローラ（Radio Network Controller）
ＳＣ    交換センタ（Switching Center）
ＧＷ    ゲートウエイ
【図１】
2005124219.tif 000003
【図２】
2005124219.tif 000004
【図３】
2005124219.tif 000005
【図４】
2005124219.tif 000006